(57)【特許請求の範囲】
【請求項１】
駆動回路が実装してある回路基板と可撓性を有する接点シートとＥＬシートとが順次積層形成してあり、
上記回路基板には、上記接点シートと対向する面にスイッチパターンが設けてあり、
上記接点シートの前面には、上記ＥＬシートが発する電磁波ノイズをシールドするシールド層が設けてあり、
上記接点シートの背面には、上記スイッチパターンと対向する対向電極が上記スイッチパターンと接離可能に設けてあり、
上記シールド層は導電性部材とバインダとを混練してなるインクを上記接点シートに吹き付け又は印刷して形成されることを特徴とするＥＬ付きシートスイッチ。
【請求項２】
駆動回路が実装してある回路基板と可撓性を有する接点シートとＥＬシートとが順次積層形成してあり、
上記回路基板には、上記接点シートと対向する面にスイッチパターンが設けてあり、
上記接点シートの前面には、上記ＥＬシートが発する電磁波ノイズをシールドするシールド層が設けてあり、
上記接点シートの背面には、上記スイッチパターンと対向する対向電極が上記スイッチパターンと接離可能に設けてあり、
上記シールド層は上記接点シートに金属蒸着によって形成されることを特徴とするＥＬ付きシートスイッチ。
【請求項３】
請求項１又は２において、上記シールド層は、上記回路基板の接地電極に接続してあることを特徴とするＥＬ付きシートスイッチ。
【発明の詳細な説明】
【０００１】
【発明の属する技術分野】
本発明は、例えば携帯電話や電子手帳等の入力装置として使用されるＥＬ付きシートスイッチに関するものである。
【０００２】
【従来の技術】
携帯電話、電子手帳あるいはノート型パーソナルコンピュータ（ノートパソコン）などの携帯用機器のスイッチキー部にもバックライトを設け、暗所においてもキー操作を容易に行えるようにしたものが知られている。例えば携帯電話機においては、バックライト用光源として薄型ＥＬ素子をスイッチ操作板の背面側に配置し、ＥＬ素子のスイッチキーと対向する部分に透孔を設けてスイッチキーを前面から押圧することにより接点を接離可能としてある。したがってこの透孔の部分は発光しないが、その周囲の発光により、スイッチキーを明るくしてその表示を識別可能としてある。
【０００３】
【発明が解決しようとする課題】
ところで、通常使用するＥＬ素子は、交流電界によって発光する素子であるため、電磁波ノイズが発生してＥＬ付きシートスイッチを装着した電子機器に誤動作を引き起こすおそれがある。
【０００４】
【課題を解決するための手段】
上記課題を解決するために、本発明のＥＬ付きシートスイッチは、接点シートの前面に、ＥＬシートが発する電磁波ノイズをシールドするシールド層を設け、
接点シートの背面に、スイッチパターンと対向する対向電極をスイッチパターンと接離可能に設け、シールド層は導電性部材とバインダとを混練したインクを接点シートに吹き付け又は印刷して形成される、若しくはシールド層は接点シートに金属蒸着によって形成されることによりＥＬシートから発する電磁波ノイズをシールドしてシートスイッチの誤動作の発生を防止するようにしてある。接点シートには回路基板に設けられたスイッチパターンと対向し、これと接離可能な対向電極を備えており、スイッチパターンと対向する対向電極とを接離させることによりスイッチ動作が行われる。この接点シートとＥＬシートとの間をシールド層でシールドすることによってＥＬ素子から発生する電磁波を遮蔽してこれを装着した電子機器の誤動作を防止するものである。シールド層は、好ましくは回路基板の接地電極に接続される。
【０００５】
【発明の実施の形態】
本発明のＥＬ付きシートスイッチは、駆動回路が実装してある回路基板と可撓性を有する接点シートとＥＬシートとを順次積層形成したものである。回路基板には、接点シートと対向する面にスイッチパターンを設け、接点シートには上記したスイッチパターンと対向する対向電極がスイッチパターンと接離可能に設けてある。接点シートとＥＬシートとの間には、ＥＬシートが発する電磁波ノイズをシールドするシールド層が設けてある。上記したシールド層は、回路基板に設けてある接地電極に接続するとよい。
【０００６】
【実施例】
本発明に係るＥＬ付きシートスイッチは、携帯電話や電子手帳などの携帯用電子機器のテンキーとして用いられるもので、暗所でもキートップの文字や記号を視認可能とするために、ＥＬシート７を用いてある。図１に一実施例の構成を示す。回路基板１は絶縁性の薄板からなり、背面（図１下方）に携帯用電子機器の駆動回路が実装してあり、前面（図１上方）に粘着層２を介して接点シート３が設けてある。
【０００７】
回路基板１の前面には、スイッチパターン１ａが設けてある。スイッチパターン１ａはスイッチ用接点の働きをするもので、カーボンや銀またはその他の導電性の高い金属で作られたインクを用いた印刷により形成してある。また、回路基板１の背面の駆動回路と前面のスイッチパターン１ａとは回路基板１に設けられた導通孔（図示略）を介して導通可能としてある。
【０００８】
粘着層２はポリ酢酸エチル系又はポリ酢酸ビニル系の非導電性の接着剤が用いられており、回路基板１と接点シート３とを対接固着している。接点シート３は、ＰＥＴ（ポリエチレンテレフタレート）シートを採用しており、スイッチパターン１ａと対向する位置には球面状に前面側へ突出するドーム部３ａが形成してある。このドーム部３ａは弾性を有するため、ドーム部３ａの外側からその頂点を押圧すると、弾性変形してその内面が回路基板１に接近するが、押圧状態を解除すると原位置に復帰する。
【０００９】
ドーム部３ａの天井部には、スイッチパターン１ａと対向する対向電極４が設けてある。対向電極４もスイッチパターン１ａと同様のインクを印刷することによって形成されている。この対向電極４は、上記のスイッチパターン１ａと対となってスイッチを構成している。ドーム部３ａの頂点が外から押されて変形すると、対向電極４がスイッチパターン１ａと接触し、スイッチパターンの回路を導通させ、これを装着してある電子機器に入力信号を発する。続いて、ドーム部３ａに対する押圧力を解除すると、スイッチパターン１ａと対向電極４とは離反する。すなわち、スイッチパターン１ａと対向電極４とは接離可能に設けてある。
【００１０】
接点シート３の前面にはアルミニウム等の金属蒸着によってシールド層５が形成してある。なお、このシールド層５はカーボンや銀等の導電性物質とバインダとを混練してなるインクを吹き付け又は印刷によって形成してもよい。シールド層５の前面には接着層２と同じ材料からなる接着層６を挟んでＥＬシート７が貼着してある。ＥＬシート７にはドーム部３ａと対向する部分に、ドーム部３ａの投影面積よりもやや大きな面積の透孔７ａが設けてあり、この透孔からドーム部３ａの突部がＥＬシートの前面に露出するようにしてある。
【００１１】
ＥＬシート７の前面には、スイッチキー板８が取り付けてある。スイッチキー板８はゴム系の軟質弾性材の成形品からなり、ＥＬシートの透孔７ａとの対向面に前方へ突出した押圧部８ａが形成してある。押圧部８ａの前面には、数字、文字あるいは記号などが設けられている。これらの数字等は周囲の黒地に対して半透明体にしてあり、背面からの光の照射により数字等が浮かび上がって見えるようにしてある。押圧部８ａの内側である天井部の中央には押圧用突起部８ｂが下方に突出させて設けてあり、外から押圧部８ａを押すとこの突起部８ｂがドーム部３ａの頂点を押してスイッチパターン１ａと対向電極４とを接触させ、押圧部８ａを開放すると突起部８ｂが元の位置に戻る。
【００１２】
ここでシールド層５についてさらに詳しく説明する。図１で接点シート３の上面に形成してあるシールド層５を接点シート３の一辺（図１右側）を迂回し、その背面側の所定範囲まで拡張して背面導電部５ａとしてある。背面導電部５ａが位置する接点シート３の背面と対向する回路基板１の前面に設けてある接地電極１ｂとは、粘着層２の介在を排除し、導電性接着剤９によって電気的に接続してあり、接地電極１ｂは図示しない導線により接地されており、シールド層５に入った電磁波ノイズは背面導電部５ａ、接地電極１ｂを通して逃げるようにしてある。なお、背面導電部５ａと接地電極部１ｂとの接合を導電性接着剤９に代えてホットメルトを用いて電気的に接合するようにしてもよい。
【００１３】
次に他の実施例について図２を用いて説明する。図２に示すように、基本的構成は図１と同様であるので符号についても図１に準じたものを付してある。本実施例では、シールド層５を接点シート３の背面まで迂回させず、シールド層５の前面と回路基板１の背面との間に導電部材１１を介在させることにより接地するようにしてある。導電部材１１は、銅や銀などの金属ビスを用いてシールド層５と回路基板１の前面に形成された接地電極１ｃとを導通させることによって接地するものである。この実施例では、シールド層５を接点シート３の背面まで延長する必要がなく、かつ導電性接着剤を介在させる手間が省ける点で接地の構造が簡単になるので、製造コストの面で有利なものにすることができる。
【００１４】
図３にさらに他の実施例の構成を示す。背面に携帯用電子機器の駆動回路が設けてある回路基板３１の前面に粘着剤付きスペーサ３２を介して接点シート３３が対向するように設けてある。回路基板３１の前面のスペーサ３２が排除された位置には、スイッチパターン３１ａが設けてあり、接点シート３３の背面にはスイッチパターンと対向するように対向電極３４が設けてある。接点シート３３の前面にはシールド層３５が形成してあり、さらにその前面には接着層３６を介してＥＬシート３７が設けてある。ＥＬシート３７には、スイッチ操作用の透孔が設けられていないので、ＥＬシートの製造が容易となる。
【００１５】
ＥＬシート３７の前面には、接着層３９を介してスイッチシート４０が貼付してある。スイッチシート４０は、前記実施例で説明した接点シート３と同一の構成をしており（図１，２参照）、ドーム部４０ａを備えている。さらにスイッチシート４０の前面にスイッチキー板３８が設けてある。また、シールド層３５は図１の構成と同様に接点シート３３の背面側に迂回しており、導電性接着剤３１ｃを介して接地電極３１ｂと接続してある。その他の構成の細部は図１の場合と同様である。
【００１６】
【発明の効果】
本発明によれば、接点シートとＥＬシートとの間にＥＬシートが発する電磁波ノイズをシールドするシールド層が設けてあるので、これを用いた電子機器の誤動作を防止できる。このシールド層を回路基板の接地電極と接続すればＥＬ付きシートスイッチの構成をコンパクトにできる。
【図面の簡単な説明】
【図１】  一実施例の構成を示す断面図である。
【図２】  他の実施例の構成を示す断面図である。
【図３】  さらに他の実施例の構成を示す断面図である。
【符号の説明】
１，３１              回路基板
１ａ，３１ａ          スイッチパターン
１ｂ，３１ｂ          接地電極
３，３３              接点シート
４，３４              対向電極
５，３５              シールド層
７，３７              ＥＬシート
【図１】
0004038265.tif 000002
【図２】
0004038265.tif 000003
【図３】
0004038265.tif 000004